(57)【要約】【課題】自動変速機のケースに装着されたブリーザ装置から水や異物が浸入する虞がある。【解決手段】ケース２の後端面２ｄに配置された第１及び第２のマウントボス６ａ，６ｂとの間に凹部９を形成する。上記マウントボス６ａ，６ｂにマウントブラケット５を固定し、車両フレーム３にマウントする。ブリーザ装置１６は、上方がマウントブラケット５で覆われた前記凹部９に配置される。【選択図】図１
2016176561.tif 000002
【特許請求の範囲】
【請求項１】
ケースの一側上部分にブリーザ装置を備えた自動変速機において、
前記ケースに、前記自動変速機を車両フレームにマウントするためのマウントブラケットを固定する第１のマウントボス及び第２のマウントボスを備え、
前記第１のマウントボスと前記第２のマウントボスとの間のケースに、互いに対向する前記第１のマウントボスと前記第２のマウントボスの両立上り側面、該両立上り側面に連結される奥側面及び底面からなる凹部を形成し、
前記底面を貫通して前記ケースの内部空間と連通する連通孔にブリーザプラグを装着したブリーザ装置を、前記凹部に配置したことを特徴とする、
自動変速機。
【請求項２】
前記両立ち上がり側面及び前記奥側面は、前記ブリーザプラグより高く形成され、
前記ブリーザプラグは、前記車両フレームの延在方向に見て、少なくとも一部が前記第１のマウントボスと前記第２のマウントボスの両方と重なることを特徴とする請求項１記載の自動変速機。
【請求項３】
前記ブリーザプラグは、前記車両フレームから前記マウントブラケットに前記自動変速機の上方から見て覆われると共に、
前記ブリーザ装置を配置した前記凹部は、前記車両フレームから前記自動変速機を見て前記車両フレームに覆われることを特徴とする請求項２記載の自動変速機。
【請求項４】
前記ケースの後端面に、前記第１のマウントボス及び前記第２のマウントボスを所定間隔隔てて形成し、
前記第１のマウントボスの立上り傾斜面を右側面とし、前記第２のマウントボスの立上り傾斜面を左側面とし、前記第１及び第２のマウントボスの間の前記ケース後端面を奥側面とし、前記ケースの突部を底面として前記凹部を形成し、
前記凹部に前記ブリーザ装置を配置したことを特徴とする請求項１乃至３のいずれか１項に記載の自動変速機。
【請求項５】
請求項１乃至４のいずれか１項に記載の自動変速機と、車両フレームとを備えた車両において、
前記自動変速機の前記ケースにおける前記第１のマウントボス及び前記第２のマウントボスを跨いで、前記第１のマウントボス及び前記第２のマウントボスの上面に固定されるマウントブラケットを備え、
該マウントブラケットを前記車両フレームにマウントして、前記車両フレームが前記奥側面と対向する側の車両の高さ方向において前記凹部を覆うと共に、前記ブリーザ装置を配置した前記凹部の上方を前記マウントブラケットで覆ってなる、
車両。
【発明の詳細な説明】
【技術分野】
【０００１】
本発明は、自動変速機、詳しくはブリーザ装置の配置構造、並びに該自動変速機を搭載した車両に関する。
【背景技術】
【０００２】
一般に、自動変速機には、該自動変速機の内部と外部との圧力差を調整するため、トランスアクスルケースを貫通する連通孔（ブリーザ孔）が形成されており、該連通孔には、トランスアクスルケース内の潤滑油が気泡化して外部に漏出することを低減すると共に、水や異物が外部から浸入することを防止するブリーザプラグが装着されている。
【０００３】
従来、上記連通孔及びブリーザプラグからなるブリーザ装置は、上記潤滑油の外部への吹出しの少ないトランスアクスルケースの上部分に配置されている（特許文献１）。
【先行技術文献】
【特許文献】
【０００４】
【特許文献１】特開２０１３−３６４８０号公報
【発明の概要】
【発明が解決しようとする課題】
【０００５】
上記ブリーザ装置は、トランスアクスルケース内の潤滑油気泡の吹出しについては配慮されているが、該ブリーザ装置は、上方が開放されているトランスアクスルケースの上部に配置されて、外部からの水や異物の浸入に対しては充分に配慮されていない。このため、タイヤ等により巻き上げられた水や異物、又は高圧洗浄による洗浄水等がブリーザ装置に直接当って、ケース内部に浸入する虞がある。
【０００６】
そこで、本発明は、ブリーザ装置を周囲を囲まれた空間に配置し、もって上述した課題を解決した自動変速機及び該自動変速機を搭載した車両を提供することを目的とするものである。
【課題を解決するための手段】
【０００７】
ケースの一側上部分にブリーザ装置を備えた自動変速機において、
前記ケースに、前記自動変速機を車両フレームにマウントするためのマウントブラケットを固定する第１のマウントボス及び第２のマウントボスを備え、
前記第１のマウントボスと前記第２のマウントボスとの間のケースに、互いに対向する前記第１のマウントボスと前記第２のマウントボスの両立上り側面、該両立上り側面に連結される奥側面及び底面からなる凹部を形成し、
前記底面を貫通して前記ケースの内部空間と連通する連通孔にブリーザプラグを装着したブリーザ装置を、前記凹部に配置したことを特徴とする。
【０００８】
前記自動変速機及び車両フレームを備えた車両において、
前記自動変速機の前記ケースにおける前記第１のマウントボス及び前記第２のマウントボスを跨いで、前記第１のマウントボス及び前記第２のマウントボスの上面に固定されるマウントブラケットを備え、
該マウントブラケットを前記車両フレームにマウントして、前記車両フレームが前記奥側面と対向する側の車両の高さ方向において前記凹部を覆うと共に、前記ブリーザ装置を配置した前記凹部の上方を前記マウントブラケットで覆ってなる。
【発明の効果】
【０００９】
本発明に係る自動変速機は、ケースに自動変速機マウント用の第１及び第２のマウントボスを形成し、これらマウントボスの間で凹部を形成して、該凹部にブリーザ装置を配置したので、タイヤにより巻上げられた水や異物等が直接ブリーザ装置に当って、ケース内に浸入する可能性を低減することができる。
【００１０】
本発明に係る車両は、上記自動変速機のケースの第１及び第２のマウントボスにマウントブラケットを固定し、該マウントブラケットを車体フレームに固定したので、上記凹部の奥側面と対向する側は車両フレームで覆われ、かつ上記凹部の上方は上記マウントブラケットで覆われ、タイヤにより巻上げられた水や異物、並びに高圧洗浄等による洗浄水が直接ブリーザ装置に当って、水等がブリーザ装置からケース内に浸入する可能性を低減することができる。
【図面の簡単な説明】
【００１１】
【図１】本発明の実施の形態の平面図。
【図２】図１のＡ−Ａ線断面図。
【図３】図１のＢ矢視図。
【図４】図１のＣ−Ｃ線断面図。
【図５】ブリーザプラグの断面図。
【発明を実施するための形態】
【００１２】
以下、図面に沿って、本発明の実施の形態について説明する。図１は、自動変速機の上部一側を自動車（車体）の一側方（左側）の側面に前後方向に延びる車両フレームにマウントする部分の概略を示す平面図であり、１は、車体前部のボンネットに、エンジンと並んで横置きされたＦＦ（フロントエンジン、フロントドライブ）用の自動変速機を示す。自動変速機１の変速機構を収納したトランスアクスルケース（以下ケースという）２の一側（後側）上面２ａが、車両フレーム３にマウントブラケット５を介してマウントされている。ケース上面２ａには、上面が平坦面からなる複数のマウントボス６ａ，６ｂ，６ｃが車体の前後方向に複数個形成されている。これらマウントボスは、後方側に位置する第１のマウントボス６ａと、該第１のマウントボス６ａから所定間隔隔てて前方に配置された第２のマウントボス６ｂと、該第２のマウントボス６ｂの僅か前方にて右方向にオフセットして配置された第３のマウントボス６ｃとからなり、第２及び第３のマウントボス６ｂ，６ｃはリブ７にて連結されている。
【００１３】
前記マウントボス６ａ，６ｂ，６ｃは、図１〜図４に示すように、ケース２後側（エンジンと反対側）の後端面２ｄ肉厚部に形成され、それぞれボルト孔８ａ，８ｂ，８ｃを有する。車体後方側である第１のマウントボス６ａと、車体前方側である第２のマウントボス６ｂとの間は、ケースの後端面２ｄに対して水平方向に凹んだ凹部９となっている。なお、図１において、紙面の左方が車体の前側であり、右方が車体の後側であり、下方が車体の左側であり、上方が車体の右側である。自動変速機１は、車体に対してその軸線を左右方向に搭載されており、右側であるエンジン側が前側であり、左側であるエンジンと反対側が後側である。
【００１４】
前記凹部９は、ケースの後端面２ｄに形成されており、ケース後端側（矢印Ｅ参照）からみて、左右、上下（底面）、奥側を定義する。該凹部９は、車体の左方、即ち自動変速機の後側からみて（図１の矢印Ｅ参照）、後側（第１の）マウントボス６ａの立上り傾斜面９ａを右側面とし、前側（第２の）マウントボス６ｂの立上り傾斜面９ｂを左側面とし、前記両立上り傾斜面９ａ，９ｂを連結するケース２の後端立上り面９ｃを奥側面とし、ケースのカウンタギヤ軸を収納する突部１０の上側外周面９ｄを底面として、その四方側面が囲まれて形成されている。
【００１５】
前記第１，第２及び第３のマウントボス６ａ，６ｂ，６ｃは、各ボルト孔８ａ，８ｂ，８ｃにそれぞれボルトが螺着されてマウントブラケット５が一体に固着されている。該マウントブラケット５の車体左側は、図２に詳示するように、車体の左側面において前後方向に延びる車両フレーム３にマウントゴム１２を介在して取付け金具１４等により固定されている。なお、マウントブラケット５は、金属の一体成形物でも、複数の部材をボルト，リベット，溶接により一体に固着された複合物でもよく、かつ正確には、図２，図３に示すように、ケース２側の部分５ａは、車体の前後方向及び上下方向に傾斜した部材からなり、該傾斜部分３ａの前方部５ａｆが、図２に示すように、第２のマウントボス６ｂ（及び第３のマウントボス６ｃ）に固定され、その後方部５ａｒが、図３に示すように、第１のマウントボス６ａに固定されている。
【００１６】
前記凹部９の底面９ｄを構成するケース２の突部１０の上部には、図２に示すように、その段付肉厚部２ｇに連通孔（ブリーザ孔）１３がケースの内部空間Ｓに貫通して形成されている。該連通孔１３にはブリーザプラグ１５が装着されて、これら連通孔１３及びブリーザプラグ１５によりケース２の内外を連通するブリーザ装置１６が構成される。ブリーザ装置１６は、図５に示すように、ケース２に装着される本体１８と、該本体１８の上側に被さるように固定されるキャップ１７とからなる。本体１８は、中心部に中空貫通孔１８ａが形成され、かつ上側に複数の切欠き１８ｂが形成され、ケース２の外側で該本体１８の上部を被さるようにキャップ１７が固定されている。従って、ケース２の上部側である上記突部１０の上面において、上記ブリーザ装置１６は、キャップ１７の先端と本体鍔部１８ｃとの間の隙間ａ、キャップ１７と本体１８との間の環状空間ｂ、切欠き１８ｂ、環状の突起１７ａ、中空貫通孔１８ａで構成されるラビリンスを介してケース２の内外を連通している。
【００１７】
上記ブリーザ装置１６は、矢印Ｅからみて、上記凹部９内に配置され、その右左側面９ａ，９ｂ，奥側面９ｃ及び底面９ｄで囲まれ、かつその上方がマウントブラケット５により覆われている。また、ケース２の車体の左側（ケース２の後側）、即ち凹部９の奥側面９ｃと対向する側は、車両の高さ方向において上部凹部が車両フレーム３で覆われている。従って、該ブリーザ装置１６は、そのマウントブラケット５までの上方空間Ｇ及び対向する車両フレーム３までの隙間空間Ｂを介して外部に開放される以外、その周囲を囲まれている。なお、右側面を構成する第１のマウントボス６ａは、図３に詳示するように、ケース２の後側（エンジンと反対側）の後端面も傾斜面２０からなり、ブリーザプラグ１５が、該傾斜面２０により車体後方（矢印Ｅの右側面）側では略々半分露出しているが、車体前方（矢印Ｅの左側面）では第２のマウントボス６ｂで完全に覆われている。即ち、第１及び第２のマウントボス６ａ，６ｂの両立上り面９ａ，９ｂ並びに奥側面９ｃは、ブリーザ装置１６のブリーザプラグ１５より高く形成され、かつ該ブリーザプラグ１５は、車両フレーム３の延在方向（長手方向）にみて、前記第１のマウントボス６ａ及び第２のマウントボス６ｂの両方と少なくとも１部が重なっている。従って、ブリーザプラグ１５は、車両フレーム３から前記マウントブラケット５に自動変速機１の上方からみて覆われると共に、ブリーザ装置１１を配置した凹部９は、車両フレーム３から自動変速機をみて車両フレーム３に覆われている。
【００１８】
従って、前記ブリーザ装置１６は、ケース２の内外での圧力差が生じた場合、前記ラビリンスを介してケース内外を連通しているので、該圧力差は開放される。この際、例え、ケース２内の自動変速機の潤滑油が気泡化して圧力が高くなっても、上記ブリーザ装置１６は、ケース２の上部に位置し、上記気泡のケース外への吹出しは低減されている。該ブリーザ装置１６からの吹出された気泡は、凹部９の上方空間Ｇ及び車両フレーム３との隙間空間Ｂから外気に発散される。
【００１９】
一方、前記マウントブラケット５で上方を覆われたケース２の凹部９内に収められている上記ブリーザ装置１６は、タイヤ等に巻上げられた水や塵埃等の異物、若しくは高圧洗浄における洗浄液に直接当たることは少なく、該ブリーザ装置１６のラビリンスを通ってケース２の内部に浸入する可能性は低減される。
【００２０】
なお、上述した実施の形態は、ＦＦタイプに用いられる自動変速機の後端側上部のマウントに適用した好ましい実施の形態であるが、ブリーザ装置は、他のマウント部分に配置してもよく、更にはＦＲ（フロントエンジン、リヤドライブ）に用いられる縦置きタイプの自動変速機に適用することも可能である。
【００２１】
以下、上記開示した内容をまとめて示すと以下の通りである。なお、構成要素の図面対照符号をカッコ内に示したが、これにより特許請求の範囲に記載の構成に何等影響を及ぼすものではない。
【００２２】
１．ケース（２）の一側上部分にブリーザ装置（１６）を備えた自動変速機（１）において、
前記ケース（２）に、前記自動変速機（１）を車両フレーム（３）にマウントするためのマウントブラケット（５）を固定する第１のマウントボス（６ａ）及び第２のマウントボス（６ｂ）を備え、
前記第１のマウントボス（６ａ）と前記第２のマウントボス（６ｂ）との間のケースに、互いに対向する前記第１のマウントボス（６ａ）と前記第２のマウントボス（６ｂ）の両立上り側面（９ａ）（９ｂ）、該両立上り側面に連結される奥側面（９ｃ）及び底面（９ｄ）からなる凹部（９）を形成し、
前記底面（９ｄ）を貫通して前記ケース（２）の内部空間（Ｓ）と連通する連通孔（１３）にブリーザプラグ（１５）を装着したブリーザ装置（１６）を、前記凹部（９）に配置した。
【００２３】
これにより、ケースの一側上部分に配置されたブリーザ装置により、ケース内外の圧力差が生じた場合、潤滑油が気泡化したエアの吹出しを低減できるものでありながら、ブリーザ装置は、凹部内に配置され、タイヤによる巻上げられた水や異物が直接ブリーザ装置に当ってケース内部に浸入する可能性を低減することができる。
【００２４】
２．前記両立ち上がり側面（９ａ）（９ｂ）及び前記奥側面（９ｃ）は、前記ブリーザプラグ（１５）より高く形成され、
前記ブリーザプラグ（１５）は、前記車両フレーム（３）の延在方向に見て、少なくとも一部が前記第１のマウントボス（６ａ）と前記第２のマウントボス（６ｂ）の両方と重なることを特徴とする。
【００２５】
これにより、ブリーザプラグは、両立上り側面及び奥側面にて覆われる。
【００２６】
３．前記ブリーザプラグ（１５）は、前記車両フレーム（３）から前記マウントブラケット（５）に前記自動変速機（１）の上方から見て覆われると共に、
前記ブリーザ装置（１６）を配置した前記凹部（９）は、前記車両フレーム（３）から前記自動変速機（１）を見て前記車両フレーム（３）に覆われることを特徴とする。
【００２７】
これにより、ブリーザ装置は、上方をマウントブラケット、奥側面と対向する側を車両フレームにより覆われる。
【００２８】
４．前記ケース（２）の後端面（２ｄ）に、前記第１のマウントボス（６ａ）及び前記第２のマウントボス（６ｂ）を所定間隔隔てて形成し、
前記第１のマウントボス（６ａ）の立上り傾斜面（９ａ）を右側面とし、前記第２のマウントボス（６ｂ）の立上り傾斜面（９ｂ）を左側面とし、前記第１及び第２のマウントボスの間の前記ケース後端面を奥側面（９ｃ）とし、前記ケース（２）の突部（１０）を底面（９ｄ）として前記凹部（９）を形成し、
前記凹部（９）に前記ブリーザ装置（１６）を配置した。
【００２９】
これにより、車両前部に横置きされた自動変速機の後端面に第１及び第２のマウントボスを所定間隔隔てて形成し、その立上り傾斜面の間で凹部を形成したので、該ＦＦ用の自動変速機にあって、適正な位置にブリーザ装置を配置できると共に、上記立上り傾斜面による左右の側面及びケース後端面による奥側面、ケース突部の底面からなる適正な凹部空間にブリーザ装置を配置することができる。
【００３０】
５．前記自動変速機及び車両フレームを備えた車両において、
前記自動変速機（１）の前記ケース（２）における前記第１のマウントボス（６ａ）及び前記第２のマウントボス（６ｂ）を跨いで、前記第１のマウントボス（６ａ）及び前記第２のマウントボス（６ｂ）の上面に固定されるマウントブラケット（５）を備え、
該マウントブラケット（５）を前記車両フレーム（３）にマウントして、前記車両フレーム（３）が前記奥側面（９ｃ）と対向する側の車両の高さ方向において前記凹部（９）を覆うと共に、前記ブリーザ装置（１６）を配置した前記凹部（９）の上方を前記マウントブラケット（５）で覆ってなる。
【００３１】
これにより、凹部の上方をマウントブラケットで覆って、ブリーザ装置は、その周囲を囲まれ、タイヤにより巻上げられる水や異物、並びに高圧洗浄に際して洗浄液等が直接ブリーザ装置に当たる可能性を低減して、ケース内への水等の浸入を低減できる。
【符号の説明】
【００３２】
１      自動変速機
２      （トランスアクスル）ケース
２ａ    上部分
２ｄ    後側面
３      車両フレーム
５      マウントブラケット
６ａ    第１のマウントボス
６ｂ    第２のマウントボス
９      凹部
９ａ    立上り側面（傾斜面）（右側面）
９ｂ    立上り側面（傾斜面）（左側面）
９ｃ    奥側面
９ｄ    底面
１０      突部
１３      連通孔
１５      ブリーザプラグ
１６      ブリーザ装置
Ｓ      内部空間
【図１】
2016176561.tif 000003
【図２】
2016176561.tif 000004
【図３】
2016176561.tif 000005
【図４】
2016176561.tif 000006
【図５】
2016176561.tif 000007